(57)【特許請求の範囲】
【請求項１】
近接無線通信部を有する印刷装置であって、
印刷データを処理する印刷処理装置が前記印刷装置に接続されているか否かを判定する判定手段と、
前記印刷処理装置が前記印刷装置に接続されていないと前記判定手段によって判定された場合に、前記印刷装置の識別情報を前記近接無線通信部のメモリに書き込み、前記印刷処理装置が前記印刷装置に接続されていると前記判定手段によって判定された場合に、前記印刷処理装置の識別情報を前記メモリに書き込む書き込み手段とを備え、
前記メモリ書き込まれている情報は、外部装置に読み取られることを特徴とする印刷装置。
【請求項２】
前記印刷処理装置が前記印刷装置に接続されていないと前記判定手段によって判定された場合に、前記書き込み手段は、前記印刷装置の識別情報とアクセスポイントに関するアクセスポイント情報とを含む第１の通信情報を前記メモリに書き込み、
前記印刷処理装置が前記印刷装置に接続されていると前記判定手段によって判定された場合に、前記書き込み手段は、前記印刷処理装置の識別情報と前記アクセスポイント情報とを含む第２の通信情報を前記メモリに書き込むことを特徴とする請求項１に記載の印刷装置。
【請求項３】
前記アクセスポイント情報は、アクセスポイントのＳＳＩＤを示すことを特徴とする請求項２に記載の印刷装置。
【請求項４】
前記アクセスポイント情報は、アクセスポイントのＳＳＩＤとアクセスポイントに接続するための接続パスワードとを示すことを特徴とする請求項２に記載の印刷装置。
【請求項５】
前記印刷装置の識別情報は、前記印刷装置のＩＰアドレスであり、
前記印刷処理装置の識別情報は、前記印刷処理装置装置のＩＰアドレスであることを特徴とする請求項１乃至４のいずれか１項に記載の印刷装置。
【請求項６】
前記印刷装置の識別情報は、前記印刷装置のＭＡＣアドレスであり、
前記印刷処理装置の識別情報は、前記印刷処理装置装置のＭＡＣアドレスであることを特徴とする請求項１乃至４のいずれか１項に記載の印刷装置。
【請求項７】
前記近接無線通信部は、ＮＦＣ（Ｎｅａｒ  Ｆｉｅｌｄ  Ｃｏｍｍｕｎｉｃａｔｉｏｎ）に基づく無線通信を実行することを特徴とする請求項１乃至６のいずれか１項に記載の印刷装置。
【請求項８】
近接無線通信部を有する印刷装置の制御方法であって、
印刷データを処理する印刷処理装置が前記印刷装置に接続されているか否かを判定する判定ステップと、
前記印刷処理装置が前記印刷装置に接続されていないと前記判定ステップで判定された場合に、前記印刷装置の識別情報を前記近接無線通信部のメモリに書き込み、前記印刷処理装置が前記印刷装置に接続されていると前記判定ステップで判定された場合に、前記印刷処理装置の識別情報を前記メモリに書き込む書き込みステップとを有し、
前記メモリ書き込まれている情報は、外部装置に読み取られることを特徴とする印刷装置の制御方法。
【請求項９】
請求項８に記載の刷装置の制御方法をコンピュータに実行させるためのプログラム。
【請求項１０】
印刷システムであって、
印刷装置と、
処理装置と、
携帯端末とを備え、
前記印刷装置は、前記処理装置の識別情報を、近接無線通信機能を用いて前記携帯端末に送信し、
前記携帯端末は、前記処理装置の識別情報に基づいて、印刷データを前記処理装置に送信し、
前記携帯端末は、前記近接無線通信機能とは異なる通信機能を用いて、前記印刷データを前記処理装置に送信することを特徴とする印刷システム。
【請求項１１】
前記処理装置の識別情報は、前記処理装置のＩＰアドレスであることを特徴とする請求項１０に記載の印刷システム。
【請求項１２】
前記携帯端末は、前記ＩＰアドレスを前記印刷データの宛先に設定することを特徴とする請求項１１に記載の印刷システム。
【請求項１３】
前記近接無線通信機能は、ＮＦＣ（Ｎｅａｒ  Ｆｉｅｌｄ  Ｃｏｍｍｕｎｉｃａｔｉｏｎ）に基づく無線通信を実行する機能であることを特徴とする請求項１０乃至１２のいずれか１項に記載の印刷システム。
【請求項１４】
前記近接無線通信機能は、Ｂｌｕｅｔｏｏｔｈに基づく無線通信を実行する機能であることを特徴とする請求項１０乃至１２のいずれか１項に記載の印刷システム。
【発明の詳細な説明】
【技術分野】
【０００１】
本発明は、印刷装置、印刷装置の制御方法及びプログラムに関する。
【背景技術】
【０００２】
複合機やプリンタ等の印刷装置において、ＮＦＣ（Ｎｅａｒ  Ｆｉｅｌｄ  Ｃｏｍｍｕｎｉｃａｔｉｏｎ）のような近接無線機能を備えるものがある。
【０００３】
印刷装置の場合、ＮＦＣはペアリングやハンドオーバーを目的にして使用される場合がある。ユーザがＮＦＣ機能を備える携帯端末を印刷装置に近付けると、印刷装置は、例えば印刷装置のＩＰアドレスを通信情報としてＮＦＣを用いて携帯端末に送信する。携帯端末は、印刷装置との間で実行する通信をＮＦＣからＷｉ−Ｆｉ等の他の通信に切り替えて、そして通信情報に含まれるＩＰアドレスを宛先にして印刷データを送信する。ユーザにしてみれば、携帯端末を印刷装置に近付けるという簡単な操作で、印刷データを印刷装置に送信するために必要な通信情報を取得することができる。
【０００４】
一方、印刷装置の利用形態として、特許文献１に記載のように、印刷装置に印刷処理装置を接続する形態も知られている。印刷処理装置は、印刷装置単体ではサポートしていないページ記述言語を解釈することでき、印刷処理装置が解釈した印刷データは、印刷装置がサポートしている形式に変換されて印刷装置に送信される。ユーザにしてみれば、印刷装置に印刷処理装置を接続することで、様々な形式の印刷データを用いて印刷を行うことができる。
【先行技術文献】
【特許文献】
【０００５】
【特許文献１】特開２００２−３１２１４０号公報
【発明の概要】
【発明が解決しようとする課題】
【０００６】
印刷装置に印刷処理装置を接続している場合、携帯端末等の外部装置から送信された印刷データは、印刷処理装置がまず受信する。そして印刷データを印刷処理装置が処理したうえで、印刷処理装置が印刷データを印刷装置に送信する。つまり、印刷装置に印刷処理装置を接続している場合、携帯端末等の外部装置は、印刷装置ではなく印刷処理装置を宛先にして印刷データを送信する必要がある。
【０００７】
しかしながら、印刷装置に印刷処理装置を接続している場合に、印刷装置がＮＦＣを用いて外部装置に送信した通信情報の内容によっては、外部装置が送信する印刷データは印刷処理装置に届かない場合がある。例えば、印刷装置に印刷処理装置を接続している場合に、印刷装置がＮＦＣを用いて印刷装置自身のＩＰアドレスを外部装置に送信したとする。この場合、印刷データの宛先は印刷処理装置ではなく印刷装置になるため、外部装置が送信する印刷データは印刷処理装置に届かないことになる。ユーザにしてみれば、所望の印刷が実行されないことになる。
【０００８】
そこで本発明では、印刷処理装置を印刷装置に接続している場合に、ＮＦＣのような近接無線通信を用いて適切な情報を外部装置に送信することを目的とする。
【課題を解決するための手段】
【０００９】
上述した課題を解決するために、本発明が提供する印刷装置は、近接無線通信部を有する印刷装置であって、印刷データを処理する印刷処理装置が前記印刷装置に接続されているか否かを判定する判定手段と、前記印刷処理装置が前記印刷装置に接続されていないと前記判定手段によって判定された場合に、前記印刷装置の識別情報を前記近接無線通信部のメモリに書き込み、前記印刷処理装置が前記印刷装置に接続されていると前記判定手段によって判定された場合に、前記印刷処理装置の識別情報を前記メモリに書き込む書き込み手段とを備え、前記メモリ書き込まれている情報は、外部装置に読み取られることを特徴とする。
【００１０】
また、本発明が提供する印刷システムは、印刷システムであって、印刷装置と、処理装置と、携帯端末とを備え、前記印刷装置は、前記処理装置の識別情報を、近接無線通信機能を用いて前記携帯端末に送信し、前記携帯端末は、前記処理装置の識別情報に基づいて、印刷データを前記処理装置に送信し、前記携帯端末は、前記近接無線通信機能とは異なる通信機能を用いて、前記印刷データを前記処理装置に送信することを特徴とする。
【発明の効果】
【００１１】
本発明によれば、印刷処理装置を印刷装置に接続している場合に、ＮＦＣのような近接無線通信を用いて適切な情報を外部装置に送信することができる。
【図面の簡単な説明】
【００１２】
【図１】印刷システムの構成を示す図である。
【図２】印刷装置の構成を示す図である。
【図３】ＮＦＣ無線通信部の構成を示す図である。
【図４】通信情報を生成する際に実行する処理を示すフローチャートである。
【図５】設定画面を示す図である。
【図６】通信情報を生成する際に実行する処理を示すフローチャートである。
【発明を実施するための形態】
【００１３】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１４】
（実施形態１）
まず図１を用いて、本実施形態に係る印刷システムの構成を説明する。図１（ａ）は、印刷装置１００を単体で使用する構成を示し、図１（ｂ）は、印刷装置１００に印刷処理装置１５０を接続して使用する構成を示す。
【００１５】
まず図１（ａ）を用いて、印刷装置１００を単体で使用する形態を説明する。印刷装置１００は、ネットワーク１２０に接続していて、ネットワーク１２０を介してＰＣ１１０や携帯端末１３０等の外部装置と通信可能である。ＰＣ１１０は、ネットワーク１２０を介して印刷データを印刷装置１００に送信する。携帯端末１３０は、アクセスポイント１４０を介して印刷データを印刷装置１００に送信する。印刷データを受信した印刷装置１００は、受信した印刷データに基づいて印刷処理を実行する。
【００１６】
また印刷装置１００は、ＮＦＣ（Ｎｅａｒ  Ｆｉｅｌｄ  Ｃｏｍｍｕｎｉｃａｔｉｏｎ）を実行することができる。ユーザが携帯端末１３０を印刷装置１００に近付けると、携帯端末１３０は、ＮＦＣを用いて印刷装置１００から通信情報を取得する。通信情報には、例えば印刷装置１００のＩＰアドレスが含まれる。通信情報を取得した携帯端末１３０は、印刷装置１００との間で実行する通信をＮＦＣからＷｉ−Ｆｉ等の他の通信に切り替えて、そして通信情報に含まれるＩＰアドレスを宛先にして印刷データを送信する。携帯端末１３０のユーザにしてみれば、携帯端末１３０を印刷装置１００に近付けるという簡単な操作で、印刷データを印刷装置１００に送信するための通信情報を取得することができる。
【００１７】
次に図１（ｂ）を用いて、印刷装置１００に印刷処理装置１５０を接続して使用する形態を説明する。印刷装置１００と印刷処理装置１５０は、ＬＡＮケーブルによって接続されている。ＰＣ１１０や携帯端末１３０等の外部装置から送信された印刷データを受信した印刷処理装置１５０は、当該印刷データを解釈し、そして解釈した印刷データを印刷装置１００がサポートする形式に変換して送信する。印刷装置１００は、印刷処理装置１５０から送信された印刷データを受信すると、受信した印刷データに基づいて印刷処理を実行する。
【００１８】
印刷処理装置１５０は、印刷装置１００がサポートしていないページ記述言語を解釈することができ、印刷処理装置１５０が解釈した印刷データは、印刷装置１００がサポートしている形式に変換されて印刷装置１００に送信される。従って印刷装置１００にしてみれば、印刷データが元々は印刷装置１００がサポートしていないページ記述言語で記述されていたとしても、印刷装置１００が解釈可能な形式で印刷データを印刷処理装置１５０から受信することができる。
【００１９】
図１（ｂ）のように印刷装置１００に印刷処理装置１５０を接続して使用する場合、外部装置は印刷装置１００ではなく印刷処理装置１５０を宛先にして印刷データを送信する必要がある。従って、図１（ｂ）の使用形態の場合に、印刷装置１００がＮＦＣを用いて印刷装置１００のＩＰアドレスを通信情報として携帯端末１３０に送信してしまうと、携帯端末１３０が送信する印刷データは印刷装置１００に届かないことになる。
【００２０】
そこで本実施形態では、印刷処理装置１５０を印刷装置１００に接続している場合と接続していない場合のそれぞれにおいて、印刷装置１００は、適切な通信情報をＮＦＣを用いて携帯端末１３０に送信する。具体的には、図１（ａ）のように印刷処理装置１５０を接続せずに印刷装置１００を単独で使用している場合、ＮＦＣで送信する通信情報として印刷装置１００のＩＰアドレスを選択する。一方、図１（ａ）のように印刷処理装置１５０を印刷装置１００に接続して使用している場合、ＮＦＣで送信する通信情報として、印刷装置１００のＩＰアドレスではなく印刷処理装置１５０のＩＰアドレスを選択する。
【００２１】
次に図２（ａ）を用いて、印刷装置１００の構成を説明する。本実施形態の印刷装置１００は複合機を想定しているが、スキャナ機能を備えないプリンタであってもよい。
【００２２】
ＣＰＵ２０１はＲＯＭ２０２が記憶している制御プログラムを読み出して、印刷装置１００の動作を制御するための様々な処理を実行する。ＣＰＵ２０１は、バス２００によって他のユニットと接続されている。ＲＯＭ２０２は、制御プログラムを記憶している。ＲＡＭ２０３は、ＣＰＵ２０１の主メモリ、ワークエリア等の一時記憶領域として用いられる。ＨＤＤ２０４は、印刷データやスキャン画像等の様々なデータを記憶する。
【００２３】
印刷装置１００の場合、１つのＣＰＵ２０１が後述するフローチャートに示す各処理を実行するものとするが、他の態様であっても構わない。例えば、複数のＣＰＵが協働して後述するフローチャートに示す各処理を実行するようにすることもできる。
【００２４】
ＮＦＣ通信部２０５は、携帯端末１３０との間でＮＦＣに基づく近接無線通信を実行する。ＮＦＣ通信部２０５が実行する無線通信は、アクセスポイントのような中継装置を介さずに印刷装置１００と携帯端末１３０との間で直接実行される。
【００２５】
ＮＦＣ通信部２０５の構成を、図３を用いて更に詳しく説明する。ＮＦＣ通信部２０５は、アンテナ３０１と、コントローラ３０２と、メモリ３０３とで構成される。
【００２６】
アンテナ３０１は、外部装置との間でＮＦＣに基づく無線通信を実行するためのアンテナとして動作する。コントローラ３０２はバス２００に接続され、ＣＰＵ２０１の指示に従ってアンテナ３０１の動作を制御したり、メモリ３０３に通信情報を書き込んだりする。メモリ３０３への通信情報の書き込みについては、後述の図４のフローチャートで詳しく説明する。メモリ３０３は、コントローラ３０２によって書き込まれた情報（例えば通信情報）を記憶する。
【００２７】
図２の説明に戻る。プリンタＩ／Ｆ２０６は、プリンタ２０７とバス２００とを接続する。プリンタ２０７は、外部装置から受信した印刷データやスキャナ２０９によって生成されたスキャン画像等に基づいて、シートに印刷処理を実行する。
【００２８】
スキャナＩ／Ｆ２０８は、スキャナ２０９とバス２００とを接続する。スキャナ２０９は、原稿を読み取ってスキャン画像を生成する。スキャナ２０９によって生成されたスキャン画像は、プリンタ２０７によって印刷されたり、ＨＤＤ２０４に記憶される。
【００２９】
操作部Ｉ／Ｆ２１０は、操作部２１１とバス２００とを接続する。操作部２１１は、タッチパネル機能を有する液晶表示部やキーボードを備え、各種操作画面を表示する。ユーザは、操作部２１１を介して印刷装置１００に対して指示や情報を入力することができる。
【００３０】
ネットワークＩ／Ｆ２１２は、ネットワーク１２０に接続してネットワーク上の外部装置との通信を実行する。ネットワークＩ／Ｆ２１２は外部装置から送信された印刷データを受信し、そしてプリンタ２０７によって受信した印刷データに基づく印刷処理が実行される。
【００３１】
図２（ａ）は、印刷処理装置１５０を印刷装置１００に接続せずに印刷装置１００を単体で使用する形態を示している。印刷処理装置１５０を印刷装置１００に接続して使用する場合、図２（ｂ）に示す形態となる。印刷装置１００と印刷処理装置１５０の間はＬＡＮケーブルで接続される。
【００３２】
印刷装置１００は、ＮＦＣ通信部２０５のメモリ３０３に通信情報を書き込む。この通信情報は、ＮＦＣを用いて携帯端末１３０に読み取られる。ＮＦＣ通信部２０５にしてみれば、メモリ３０３に記憶している通信情報をＮＦＣを用いて携帯端末１３０に送信することになる。通信情報を取得した携帯端末１３０は、通信情報に含まれるＩＰアドレスを印刷データの宛先として使用する。
【００３３】
印刷装置１００がメモリ３０３に通信情報を書き込む際に実行される処理を、図４のフローチャートを用いて説明する。図４のフローチャートに示す各ステップは、ＣＰＵ２０１がＲＯＭ２０２等のメモリに格納された制御プログラムをＲＡＭ２０３に展開して実行することによって処理される。なお、図４のフローチャートが示す処理は、印刷装置１００の電源がＯＮになったときの初期処理として実行されるものとして説明する。
【００３４】
印刷装置１００の電源がＯＮになると、ステップＳ４０１において、印刷装置１００のＣＰＵ２０１は、印刷処理装置が接続されているか否かを判定する。ＣＰＵ２０１は、印刷処理装置が接続されているか否かを問い合わせる問い合わせパケットをネットワークＩ／Ｆ２１２を介して送信し、その問い合わせパケットに対する応答の有無に基づいて印刷処理装置が接続されているか否かを判定する。なお、印刷処理装置が接続されているか否かを判定する方法はＳ４０１で説明した方法に限定されない。他の方法として、例えば印刷処理装置を接続していることを示す所定の識別情報がＨＤＤ２０４等の記憶領域に記憶されているか否かを判定し、その判定結果に基づいてＳ４０１の判定を実行してもよい。
【００３５】
印刷処理装置が接続されているとステップＳ４０１においてＣＰＵ２０１が判定すると、ステップＳ４０２に進む。ステップＳ４０２において、ＣＰＵ２０１は、印刷装置１００に接続されている印刷処理装置のＩＰアドレスを特定する。本実施形態の場合、ステップＳ４０１で送信した問い合わせパケットに対する応答パケットに、印刷処理装置１５０のＩＰアドレスが含まれている。ステップＳ４０２では、この応答パケットを参照することで、ＣＰＵ２０１が印刷装置１００に接続されている印刷処理装置のＩＰアドレスを特定する。なお、印刷処理装置のＩＰアドレスを特定する方法はステップＳ４０２で説明した方法に限定されない。他の方法として、印刷装置１００のＨＤＤ２０４等の記憶領域に印刷処理装置のＩＰアドレスをユーザが登録していて、ＣＰＵ２０１がその登録されているＩＰアドレスを確認することで印刷処理装置のＩＰアドレスを特定してもよい。
【００３６】
なお、印刷処理装置１５０は、ネットワーク１２０上の外部装置と通信する際に使用するＩＰアドレスと、印刷装置１００と通信するためのＩＰアドレスの少なくとも２種類のＩＰアドレスが設定されている。これらのＩＰアドレスのうち、ステップＳ４０２で特定する印刷処理装置１５０のＩＰアドレスは、印刷処理装置１５０がネットワーク１２０上の外部装置と通信する際に使用するＩＰアドレスである。
【００３７】
ステップＳ４０２で印刷処理装置のＩＰアドレスを特定すると、ステップＳ４０３に進む。ステップＳ４０３において、ＣＰＵ２０１は、ステップＳ４０２で特定した印刷処理装置１５０のＩＰアドレスを用いて通信情報を生成する。通信情報は、ＮＦＣ規格に規定されているＮＤＥＦ（ＮＦＣ  Ｄａｔａ  Ｅｘｃｈａｎｇｅ  Ｆｏｒｍａｔ）形式で生成され、印刷処理装置１５０のアドレス情報として印刷処理装置１５０のＩＰアドレスが通信情報に含まれる。なお、通信情報のフォーマットはＮＤＥＦに限らず、他のフォーマットであってもよい。
【００３８】
ステップＳ４０３で通信情報を生成すると、ステップＳ４０４に進む。ステップＳ４０４において、生成した通信情報をＮＦＣ通信部２０５のメモリ３０３に書き込む。具体的には、通信情報をメモリ３０３に書き込むようにＣＰＵ２０１がＮＦＣ通信部２０５のコントローラ３０２に指示し、コントローラ３０２が通信情報をメモリ３０３に書き込む。
【００３９】
ステップＳ４０４でメモリ３０３に書き込まれた通信情報は、ＮＦＣ経由で携帯端末１３０に送信される。通信情報を取得した携帯端末１３０は、通信情報に含まれるアドレス情報を抽出して、そのアドレス情報を例えば印刷データの宛先として使用する。
【００４０】
また、ステップＳ４０３において印刷装置１００ではなく印刷処理装置１５０のＩＰアドレスを用いて通信情報を生成するのは、図１（ｂ）のように印刷処理装置１５０を印刷装置１００に接続しているためである。図１（ｂ）のように印刷処理装置１５０を印刷装置１００に接続している場合、携帯端末１３０は印刷データの宛先を印刷装置１００ではなく印刷処理装置１５０にする必要がある。そこで本実施形態では、図１（ｂ）のように印刷処理装置１５０を印刷装置１００に接続している場合に、印刷装置１００は、印刷装置１００のアドレス情報ではなく印刷処理装置１５０のアドレス情報を用いて通信情報を生成する。そして印刷装置１００は、生成した通信情報をＮＦＣ通信部２０５のメモリ３０３に書き込む。
【００４１】
ステップＳ４０１の説明に戻る。印刷処理装置が接続されていないとステップＳ４０１においてＣＰＵ２０１が判定すると、ステップＳ４０５に進む。そしてステップＳ４０５において、ＣＰＵ２０１は、印刷装置１００のＩＰアドレスを用いて通信情報を生成する。ステップＳ４０５で通信情報を生成すると、ステップＳ４０４に進み、ＣＰＵ２０１はステップＳ４０５で生成した通信情報をＮＦＣ通信部２０５のメモリ３０３に書き込む。
【００４２】
ステップＳ４０５において印刷装置１００のＩＰアドレスを用いて通信情報を生成するのは、図１（ａ）のように印刷処理装置１５０を印刷装置１００に接続しないで印刷装置１００を単独で使用しているためである。図１（ａ）のように印刷装置１００を単独で使用している場合、携帯端末１３０は印刷データの宛先を印刷装置１００にすればよい。そこで本実施形態では、図１（ａ）のように印刷装置１００を単独で使用している場合に、印刷装置１００は、印刷装置１００のアドレス情報を用いて通信情報を生成し、生成した通信情報をＮＦＣ通信部２０５のメモリ３０３に書き込む。
【００４３】
また、ステップＳ４０３やステップＳ４０５では印刷処理装置１５０や印刷装置１００のＩＰアドレスを用いて通信情報を生成すると説明したが、他の情報を用いてもよい。ＩＰアドレスではなくＭＡＣアドレスをアドレス情報として用いて通信情報を生成してもよいし、ＩＰアドレスとＭＡＣアドレスの両方を用いて通信情報を生成してもよい。また、アドレス情報の他に、デバイス名のようなデバイス情報を通信情報に含めてもよい。
【００４４】
また、図４のフローチャートが示す処理は、印刷装置１００の電源がＯＮになったときの初期処理として実行されるものとして説明したが、他のタイミングで実行してもよい。例えば、ネットワークＩ／Ｆ２１２に接続されているＬＡＮケーブルの挿抜を検知した際に実行してもよいし、印刷装置１００が省電力モードから通常電力モードに復帰した際に実行してもよい。
【００４５】
以上の説明の通り、本実施形態によれば、印刷装置１００は、印刷処理装置が接続されている場合と接続されていない場合のそれぞれにおいて、適切な通信情報を生成することができる。ＮＦＣを用いて通信情報を取得する携帯端末にしてみれば、印刷装置１００に印刷処理装置が接続されている場合と接続されていない場合のどちらの場合であっても、適切な宛先を印刷データの宛先として設定することができる。
【００４６】
（実施形態２）
実施形態１の場合、印刷装置１００や印刷処理装置１５０のアドレス情報を用いて通信情報を生成し、そして生成した通信情報をＮＦＣを用いて携帯端末１３０に送信する構成を説明した。携帯端末１３０が通信情報に含まれるアドレス情報に従って印刷データを送信する場合、携帯端末１３０がアクセスポイント１４０に接続して、印刷装置１００と同一のネットワークに存在する必要がある。言い換えれば、印刷装置１００と同一のネットワークに接続していない場合には、ＮＦＣを用いて通信情報を印刷装置１００から取得しても、携帯端末１３０は印刷データを印刷装置１００又は印刷処理装置１５０に送信することができない。
【００４７】
そこで本実施形態では、ＮＦＣ通信部２０５のメモリ３０３に書き込む通信情報に、携帯端末１３０を印刷装置１００が存在するネットワークに接続させるための情報を更に含めることを特徴とする。具体的には、アクセスポイントに接続するためのアクセスポイント情報を通信情報に含めることで、通信情報を取得した携帯端末１３０を印刷装置１００と同一のネットワークに接続させる。
【００４８】
図５の設定画面５００は、印刷装置１００の操作部２１１が表示する画面である。ユーザは設定画面５００を用いて、アクセスポイント情報を印刷装置１００に登録することができる。
【００４９】
本実施形態では、ＮＦＣ通信部２０５のメモリ３０３に書き込む通信情報にアクセスポイント情報を含めるか否かを、ユーザが決定することができる。通信情報にアクセスポイント情報を含める場合、ユーザはアイコン５０１を選択（タッチパネルの場合はタッチ）する。一方、通信情報にアクセスポイント情報を含めない場合、ユーザはアイコン５０２を選択する。
【００５０】
領域５０３は、アクセスポイントのＳＳＩＤをユーザが入力する領域である。ユーザは、不図示のソフトウェアキーボード等を用いてアクセスポイントのＳＳＩＤを入力する。本実施形態の場合、印刷装置１００と同一のネットワークに存在するアクセスポイント１４０のＳＳＩＤをユーザが入力する。また領域５０４は、アクセスポイントに接続するための接続パスワードをユーザが入力する領域である。本実施形態の場合、印刷装置１００と同一のネットワークに存在するアクセスポイント１４０に接続するための接続パスワードをユーザが入力する。なお、接続パスワードの指定は必須の情報ではなく、設定画面５００で接続パスワードの指定はしなくてもよい。
【００５１】
設定画面５００による設定の結果は、ＨＤＤ２０４等のメモリに設定情報として記憶される。
【００５２】
ＮＦＣ通信部２０５のメモリ３０３に書き込む通信情報にアクセスポイント情報を含めることで、携帯端末１３０はアクセスポイント１４０に接続することができる。携帯端末１３０のユーザがアクセスポイント１４０のＳＳＩＤや接続パスワードを知らない場合であっても、携帯端末１３０がアクセスポイント１４０に接続することができるため、携帯端末１３０のユーザの利便性が向上する。従って、携帯端末１３０のユーザの利便性を向上させたい場合は、通信情報にアクセスポイント情報を含めるようにアイコン５０１を選択すればよい。
【００５３】
一方、ＮＦＣ通信部２０５のメモリ３０３に書き込む通信情報にアクセスポイント情報を含めると、多くの携帯端末がアクセスポイント１４０に接続してネットワーク１２０に参加できることになる。このような状態をセキュリティの観点で好ましくないと考える使用環境であれば、通信情報にアクセスポイント情報を含めないようにアイコン５０２を選択すればよい。
【００５４】
次に、印刷装置１００がメモリ３０３に通信情報を書き込む際に実行される処理を、図６のフローチャートを用いて説明する。図４のフローチャートに示す各ステップは、ＣＰＵ２０１がＲＯＭ２０２等のメモリに格納された制御プログラムをＲＡＭ２０３に展開して実行することによって処理される。また、図６のフローチャートが示す処理は、図４のフローチャートが示す処理と同様のタイミングで実行される。
【００５５】
ステップＳ６０１にいて、印刷装置１００のＣＰＵ２０１は、印刷処理装置が接続されているか否かを判定する。ステップＳ６０１の処理は図４のステップＳ４０１と同様の処理が実行されるため、説明を省略する。
【００５６】
印刷処理装置が接続されているとステップＳ６０１においてＣＰＵ２０１が判定すると、ステップＳ６０２に進む。ステップＳ６０２において、ＣＰＵ２０１は、印刷装置１００に接続されている印刷処理装置のＩＰアドレスを特定する。ステップＳ６０２の処理は図４のステップＳ４０２と同様の処理が実行されるため、説明を省略する。
【００５７】
次にステップＳ６０３において、ＣＰＵ２０１は、通信情報にアクセスポイント情報を含めるか否かを判定する。ステップＳ６０３では、ＨＤＤ２０４等のメモリに記憶されている設定情報を参照して、通信情報にアクセスポイント情報を含めるか否かをＣＰＵ２０１が判定する。通信情報にアクセスポイント情報を含めるとＣＰＵ２０１が判定すると、ステップＳ６０４に進む。そしてステップＳ６０４において、ＣＰＵ２０１は、ステップＳ６０２で特定した印刷処理装置１５０のＩＰアドレスと予め設定されているアクセスポイント情報とを用いて通信情報を生成する。通信情報は、ステップＳ４０３と同様にＮＤＥＦ形式で生成される。次にステップＳ６０９において、ＣＰＵ２０１は、ステップＳ６０４で生成した通信情報をＮＦＣ通信部２０５のメモリ３０３に書き込む。
【００５８】
一方、ステップＳ６０３において通信情報にアクセスポイント情報を含めないとＣＰＵ２０１が判定すると、ステップＳ６０５に進む。そしてステップＳ６０５において、ＣＰＵ２０１は、ステップＳ６０２で特定した印刷処理装置１５０のＩＰアドレスを用いて通信情報を生成する。ステップＳ６０５において生成される通信情報には、アクセスポイント情報は含まれない。次にステップＳ６０９において、ＣＰＵ２０１は、ステップＳ６０５で生成した通信情報をＮＦＣ通信部２０５のメモリ３０３に書き込む。
【００５９】
ステップＳ６０１の説明に戻る。印刷処理装置が接続されていないとステップＳ６０１においてＣＰＵ２０１が判定すると、ステップＳ６０６に進む。そしてステップＳ６０６において、ＣＰＵ２０１は、通信情報にアクセスポイント情報を含めるか否かを判定する。ステップＳ６０６０の処理はステップＳ６０３と同様の処理が実行される。
【００６０】
ステップＳ６０６において通信情報にアクセスポイント情報を含めるとＣＰＵ２０１が判定すると、ステップＳ６０７に進む。そしてステップＳ６０７において、ＣＰＵ２０１は、印刷装置１００のＩＰアドレスと予め設定されているアクセスポイント情報とを用いて通信情報を生成する。次にステップＳ６０９において、ＣＰＵ２０１は、ステップＳ６０７で生成した通信情報をＮＦＣ通信部２０５のメモリ３０３に書き込む。
【００６１】
一方、ステップＳ６０６において通信情報にアクセスポイント情報を含めないとＣＰＵ２０１が判定すると、ステップＳ６０８に進む。そしてステップＳ６０８において、ＣＰＵ２０１は、印刷装置１００のＩＰアドレスを用いて通信情報を生成する。ステップＳ６０８において生成される通信情報には、アクセスポイント情報は含まれない。次にステップＳ６０９において、ＣＰＵ２０１は、ステップＳ６０８で生成した通信情報をＮＦＣ通信部２０５のメモリ３０３に書き込む。
【００６２】
以上の説明の通り、本実施形態によれば、ＮＦＣを用いて携帯端末に送信する通信情報に、アクセスポイントに接続するためのアクセスポイント情報を更に加えることができる。これにより、携帯端末のユーザがアクセスポイントのＳＳＩＤや接続パスワードを知らない場合であっても、携帯端末がアクセスポイントに接続することができる。また、アクセスポイント情報が示すアクセスポイントが印刷装置１００と同一のネットワークに存在していれば、携帯端末は印刷装置１００と同一のネットワークに参加することができ、印刷装置１００又は印刷処理装置１５０に印刷データを送信することができる。
【００６３】
また、本実施形態によれば、ＮＦＣを用いて携帯端末に送信する通信情報にアクセスポイント情報を含めるか否かを、印刷装置１００の使用環境に応じてユーザ（例えばシステム管理者）が切り替えることができる。
【００６４】
（その他の実施形態）
上述した各実施形態では、印刷装置１００が実行する近接無線通信としてＮＦＣを例に挙げて説明したが、他の無線通信（例えばＢｌｕｅｔｏｏｔｈ（登録商標））を用いてもよい。
【００６５】
また本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００６６】
１００  印刷装置
１３０  モバイル端末
１５０  印刷処理装置
２０１  ＣＰＵ
２０５  ＮＦＣ通信部
３０１  アンテナ
３０２  コントローラ
３０３  メモリ
【図１】
0006341786.tif 000002
【図２】
0006341786.tif 000003
【図３】
0006341786.tif 000004
【図４】
0006341786.tif 000005
【図５】
0006341786.tif 000006
【図６】
0006341786.tif 000007